(57)【要約】【課題】携帯情報端末機器の表示画面に付着した汚れを簡単に除去することができ、軽量で携帯に便利な粘着式クリーナーを提供する。【解決手段】携帯情報端末機器の表示画面に付着した汚れを除去する粘着式クリーナーであって、シート状基材１２の一方の面１２ａに、携帯情報端末機器の表示画面の汚れを除去する剥離可能な粘着剤層１３を有する清掃シート１１を複数枚積層してシート積層体１０とし、清掃シート１１の周縁の一部分には、清掃シート１１の指めくりを容易とするドライエッジ部１４を設けた。【選択図】図１
2016054790.tif 000002
【特許請求の範囲】
【請求項１】
携帯情報端末機器が備えている表示画面に触手により付着した汚れを除去する粘着クリーナーにおいて、
柔軟性を有するシート状基材の一方の面に、上記表示画面の汚れを除去する再剥離可能な粘着剤層を有する複数枚の清掃シートを、上記粘着剤層を介して剥離可能に積層してなるシート積層体を備え、
上記各清掃シートの周縁の一部には、上記清掃シートの指めくりを容易とする非粘着部が設けられていることを特徴とする粘着式クリーナー。
【請求項２】
上記各清掃シートは同一形状であり、上記非粘着部が重なるようにして積層されていることを特徴とする請求項１に記載の粘着式クリーナー。
【請求項３】
上記シート積層体は、上記清掃シートよりも広い面積を有し、かつ、上記清掃シートよりも高い剛性を有する台座シートに支持されていることを特徴とする請求項１または２に記載の粘着式クリーナー。
【請求項４】
上記シート積層体は、上記台座シートの両面に支持されていることを特徴とする請求項３に記載の粘着式クリーナー。
【請求項５】
上記台座シートには、一方の手で上記清掃シートを指めくりする際に、他方の手で指押さえ可能な突片が設けられていることを特徴とする請求項３または４に記載の粘着式クリーナー。
【請求項６】
上記清掃シートは、上記非粘着部が上記台座シートの突片に対向するように積層されることを特徴とする請求項３ないし５のいずれか１項に記載の粘着式クリーナー。
【請求項７】
上記台座シートの突片には、ストラップが挿通可能な孔が形成されていることを特徴とする請求項４ないし６のいずれか１項に記載の粘着式クリーナー。
【請求項８】
上記清掃シートには、上記シート状基材の他方の面に色彩や模様などの装飾が印刷されていることを特徴とする請求項１ないし７のいずれか１項に記載の粘着式クリーナー。
【発明の詳細な説明】
【技術分野】
【０００１】
本発明は、例えばスマートフォンなどの小型携帯機器の表示画面に付着した汚れ等を除去する粘着式クリーナーに関し、さらに詳しく言えば、表示画面の汚れを簡単に除去することができる携帯に便利な粘着式クリーナーに関する。
【背景技術】
【０００２】
近年、スマートフォンなどの小型携帯機器やノート型パーソナルコンピュータなどのタブレット型携帯端末機器が急速に普及しているが、それらの機器には液晶パネルや有機ＥＬパネルなどの表示画面が備えられている。
【０００３】
特に、最近では、表示画面を表示部としてだけでなく入力部の機能を兼用させるタッチパネル方式の表示部が採用されているため、表示画面に使用者の手垢や皮脂などの油性汚れが付きやすく、油性汚れは塵や埃などの汚れに比して目立ちやすい。
【０００４】
このような表示画面に付着した汚れを除去するものとして、一般的な布片やティッシュペーパーなどの紙片が用いられることもあるが、一般的な布片では油性汚れを完全に拭き取ること難く、また、ティッシュペーパーなどのような紙片では汚れの除去が難しいばかりでなく、脱落した繊維が表示画面に残ってしまうこともある。
【０００５】
そのため、表示画面の汚れを除去する専用のクリーナーとして、眼鏡拭きにも用いられる極細繊維からなるワイピングクロスや極細合成繊維と天然繊維とからなる織布等の極細繊維製のクリーナーが提案されている。
【０００６】
また、下記特許文献１のように、表面に表示画面の汚れを拭き取る清掃面を有する繊維布を、繊維布の裏面側に設けられた感圧接着剤層を介して携帯電話への着脱を可能とし、携帯電話とともに携帯できるクリーナーも提案されている。
【先行技術文献】
【特許文献】
【０００７】
【特許文献１】特開２００６−２５９７７号公報
【発明の概要】
【発明が解決しようとする課題】
【０００８】
しかしながら、上記のような繊維製のクリーナーを使用して表示画面に付着した汚れ、特に手垢や皮脂等の油性汚れを拭き取るような場合に、繊維製クリーナーを表示面に強く押しつけると繊維のすべりが悪くなり、押さえている指のほうが滑ってしまい、思うように表示画面を拭くことができないという問題があった。
【０００９】
また、上記のような繊維製のクリーナーを用いて表示画面の油性汚れを拭き取ろうとしても、表示画面上で皮脂汚れを単に引き延ばすにすぎず、複数回拭き取り作業をしても皮脂よごれが完全に落ちないといった問題もあった。
【００１０】
加えて、上記のような繊維製のクリーナーは織布からなるため、不織布や紙などと比べてコストが高いだけでなく、継続的に使用すると油性汚れが蓄積してしまうため、定期的に洗浄しなければならず面倒であるという問題もあった。
【００１１】
そして、上記特許文献１のようなクリーナーでは、感圧接着剤を介して携帯電話に着脱可能として携帯できるようにされているが、感圧接着剤の接着力が弱くなったときに接着力を回復させる作業（湿った布で拭く、汚れを洗い落とす）が煩わしい。また、接着力が弱くなっていることに気づかずに携帯電話から脱落して紛失してしまうという問題もあった。
【００１２】
そこで、本発明は、スマートフォンなどの小型携帯機器の表示画面に付着した汚れを確実に、かつ、簡単に除去することができるとともに、軽量で携帯に便利な粘着式クリーナーを提供することにある。
【課題を解決するための手段】
【００１３】
上述した課題を達成するため、本発明は、携帯情報端末機器が備えている表示画面に触手により付着した汚れを除去する粘着クリーナーにおいて、柔軟性を有するシート状基材の一方の面に、上記表示画面の汚れを除去する再剥離可能な粘着剤層を有する複数枚の清掃シートを、上記粘着剤層を介して剥離可能に積層してなるシート積層体を備え、上記各清掃シートの周縁の一部には、上記清掃シートの指めくりを容易とする非粘着部が設けられていることを特徴としている。
【００１４】
本発明において、上記シート積層体は、上記清掃シートよりも広い面積を有し、かつ、上記清掃シートよりも高い剛性を有する台座シートに支持されていることが好ましく、上記シート積層体を、上記台座シートの両面に支持させてもよい。
【００１５】
本発明において、上記台座シートには、一方の手で上記清掃シートを指めくりする際に、他方の手で指押さえ可能な突片が設けられていることが好ましく、上記清掃シートは、上記非粘着部が上記台座シートの突片に対向するように積層されることが好ましい。
【００１６】
また、上記台座シートの突片には、ストラップが挿通可能な孔が形成されていることがよく、上記清掃シートには、上記シート状基材の他方の面に色彩や模様などの装飾を印刷してもよい。
【発明の効果】
【００１７】
本発明によれば、柔軟性を有するシート状基材の一方の面に、携帯情報端末機器の表示画面の汚れを除去する再剥離可能な粘着剤層からなる複数枚の清掃シートを、その粘着剤層を介して積層したシート積層体としたとにより、薄型で軽量なクリーナーを提供するとができるとともに、例えば、このシート積層体を粘着剤層を介して携帯情報端末機器の反表示画面側に貼り付けて携帯することもできる。
【００１８】
また、各清掃シートの周縁の一部に指めくりを容易とする非粘着部を設けたことにより、シート積層体から清掃シートを１枚ずつ剥がす操作性を向上させることができるとともに、清掃時には非粘着部とその反対面側を指でつまんで表示画面上を叩くように移動させれば、指を粘着剤層に触れさせることなく清掃作業を行うことができる。
【００１９】
さらに、シート積層体を清掃シートよりも高い剛性を有する台座シートに支持させることにより、台座シートを下方に押し下げれば非粘着部が台座シートから容易に浮き上がるため、清掃シートを指めくりする際の取り扱いを容易とすることができる。
【００２０】
さらにまた、台座シートに、清掃シートを剥がす際に指めくりする手とは反対の手で指押さえ可能な突片を設けたことにより、清掃シートをより簡単に１枚ずつ剥がすことができるとともに、この突片にストラップが挿通可能な孔を設けることにより、携帯情報端末機器のアクセサリとして携帯することができる。
【図面の簡単な説明】
【００２１】
【図１】本発明の基本的実施形態に係る粘着式クリーナーを模式的に示す側面図。
【図２】図１における清掃シートを模式的に示す側面図。
【図３】図１における清掃シートを模式的に示す平面図。
【図４】図１におけるシート積層体と台座シートとの関係を模式的に示す説明図。
【図５】本発明の第１実施形態に係る粘着式クリーナーを模式的に示す平面図。
【図６】本発明の第２実施形態に係る粘着式クリーナーを模式的に示す平面図。
【図７】本発明の第３実施形態に係る粘着式クリーナーを模式的に示す平面図。
【発明を実施するための形態】
【００２２】
次に、図１〜図７を参照して本発明の実施形態について図面を参照しながら説明するが、本発明はこれに限定されるものではない。
【００２３】
図１に示すように、本発明の基本的実施形態に係る粘着式クリーナー１は、スマートフォンなどの小型携帯機器やノート型パーソナルコンピュータなどのタブレット型携帯端末機器など（以下、「携帯情報端末機器」という。）の表示画面に付着した汚れを除去する複数枚（この例では４枚）の清掃シート１１が積層されたシート積層体１０と、シート積層体１０を支持する台座シート２０とを備えている。
【００２４】
図２および図３に示すように、清掃シート１１は、矩形状のシート状基材１２と、矩形状のシート状基材１２の一方の面１２ａに、携帯情報端末機器の表示画面へと接触させることにより、その汚れを除去する再剥離可能な粘着剤層からなる粘着部１３と、清掃シート１１を指めくりするためのドライエッジ部（非粘着部）１４とから形成されている。
【００２５】
この例で、シート状基材１２は厚さ５０μｍのポリエチレンテレフタレートからなるが、シート状基材１２の他方の面１２ｂには例えばシリコーン系剥離剤などの塗布による剥離処理がなされていてもよい。
【００２６】
また、図示はしていないが、シート状基材１２の他方の面１２ｂには、清掃シート１１のデザイン性を考慮して、ドット柄やボーダー柄あるいはレース柄といった模様を所定の色彩とともに印刷してもよく、この場合には、シート状基材１２は印刷および剥離処理を含めて５５μｍの厚みとするとよい。
【００２７】
粘着部１３は、再剥離可能な粘着剤層として人の皮脂などの油性汚れを除去するものであればよく、例えば、アクリル系粘着剤、天然ゴム系粘着剤、ウレタン系粘着剤、シリコーン系粘着剤などの溶剤系粘着剤があげられるが、特にはアクリル系粘着剤が好ましい。
【００２８】
アクリル系粘着剤組成物としては、例えば、原料モノマーとして、（メタ）アクリル酸アルキルエステル、カルボキシル基含有不飽和モノマーから構成されるアクリルエマルション系重合体に所定の可塑剤を配合させたものが用いられるが、粘着力の調整のためにタッキーファイヤー（粘着付与樹脂）を配合することができる。
【００２９】
また、必須成分ではないが、粘着剤層を構成する粘着剤には、老化剤、酸化防止剤、紫
外線吸収剤、光安定剤、着色剤などの各種添加成分を配合してもよい。
【００３０】
粘着部１３に用いられる粘着剤は、使用者が携帯情報端末機器の表示画面に対して清掃シート１１を適当な押圧力で接触させたときに、表示画面に付着した皮脂などの油性汚れを除去できる粘着力を備えていることが好ましい。
【００３１】
加えて、携帯情報端末機器の表示画面に汚れ防止のための、例えば、ポリエチレンテレフタレートなどの保護フィルムが貼着されることを考慮して、清掃シート１１を適当な押圧力で接触させたときに、保護フィルムを剥がすことなく、保護フィルムに付着した油性汚れを除去可能な粘着力とするとよい。
【００３２】
本実施形態において、図３に示すように、清掃シート１１は３３ｍｍ×３３ｍｍの正方形に形成されており、その一辺に沿ってドライエッジ部が設けられ、この例では、ドライエッジ部の幅Ｌ１は７ｍｍｍ、粘着部１３の幅Ｌ２は２６ｍｍとされている。
【００３３】
なお、ドライエッジ部１４の幅とシート状基材１２の厚みとは、清掃シート１１を剥がす際のめくりやすさ（使用感）と、持ち歩いた際のシート状基材１１の擦れなどに対する剥がれにくさ（携帯性）を考慮し、清掃シート１１の大きさや粘着部１３の粘着力に合わせて設定することができる。
【００３４】
台座シート２０は、その外形が少なくとも清掃シート１１を載置し得る面積に形成されていればよい。また、清掃シート１１を指めくりする際の取り扱いを容易とするため、清掃シート１１よりも高い剛性を備えていることが好ましく、この例では、幅３７ｍｍ、厚さ０．４ｍｍのほぼ四角形状のポリプロピレンシートが用いられている。
【００３５】
すなわち、台座シート２０を清掃シート１１の剛性より高くすることで、図４に示すように、台座シート２０をつまんで下方（反清掃シート積層面）側に押し下げると、清掃シート１１が台座シート２０に追従することなくドライエッジ部のみが台座シート２０から離れるため、ドライエッジ部１４を発見しやすく指めくり作業が容易となる。
【００３６】
次に、図５ないし図７を参照して、本発明の他の実施形態を説明する。なお、以下の説明において、上記基本的実施形態と同一とみなさせる構成要素には同一符号を付し、その詳細な説明は省略する。
【００３７】
図５には、その全体形状が矩形状に形成された粘着式クリーナー１Ａが示されている。この粘着式クリーナー１Ａにおいては、上記基本的実施形態と同様に矩形状に形成された清掃シート１１が用いられており、シート積層体１０は粘着部１３を介して台座シート２０に着脱可能に取り付けられるようになっている。
【００３８】
この例においても、清掃シート１１には指めくりを容易とするドライエッジ部１４が設けられているが、この例では、ドライエッジ部１４は、清掃シート１１のコーナー部を頂点とする三角形状に形成されている。
【００３９】
また、台座シート２０には、ドライエッジ部１４の指めくりをより容易とするために、台座シート２０のドライエッジ部１４と対向するコーナー部に突片２１が設けられている。
【００４０】
これにより、一方の手で突片２１をつまんで台座シート２０を押し下げることにより、ドライエッジ部１４が台座シート２０から離れるため、清掃シート１１の指めくり作業がより簡単に行うことができる。
【００４１】
また、突片２１には、ストラップが挿通可能な孔２２が設けられており、孔２２に挿通されたストラップ紐を介して粘着式クリーナー１Ａを携帯情報機器に取り付けることができる。
【００４２】
図６には、その全体形状がしずく型に形成された粘着式クリーナー１Ｂが示されている。この粘着式クリーナー１Ｂにおいては、しずく型に形成された清掃シート１１が用いられており、シート積層体１０は粘着部１３を介して台座シート２０に着脱可能に取り付けられるようになっている。
【００４３】
この例においても、清掃シート１１には指めくり用のドライエッジ部１４が設けられているが、ドライエッジ部１４はしずく型の逆Ｖ字型となる頂点側に設けられており、台座シート２０には、清掃シート１１のドライエッジ部１４と対向する位置に、ストラップが挿通可能な孔２２を備える突片２１が設けられている。
【００４４】
図７には、その全体形状がハート型に形成された粘着式クリーナー１Ｃが示されている。この粘着式クリーナー１Ｃにおいても、清掃シート１１には、表示画面の汚れ除去用の粘着部１３と清掃シート１１には指めくり用のドライエッジ部１４が設けられているが、ドライエッジ部１４はハート型のＶ字頂点側に設けられている。
【００４５】
また、台座シート２０は、清掃シート１１のドライエッジ部１４と対向する位置に、清掃シート１１を１枚ずつ剥がす際に、下方（反清掃シート積層面）側に押さえるつまみ部としての突片２１が設けられている。
【００４６】
この例において、突片２１はその中心線が清掃シート１１のハート型Ｖ字頂点の延長線からずれるように（この例では左側に）設けられており、これにより、突片２１を下方に押し下げる一方の手の指と、清掃シート１１を指めくりする他方の手の指との位置関係をずらして、清掃シート１１を剥がす作業をより容易にしている。
【００４７】
また、この例においては、台座シート２０突片２１と対向するハート型逆Ｖ字型頂点側にストラップが挿通される孔２２が設けられている。
【００４８】
次に、本実施形態に係る粘着式クリーナー１Ａ，１Ｂ，１Ｃを用いて携帯端末機器の表示画面に付着した汚れを除去する使用例を説明する。まず、台座シート２０の孔２２にストラップを通し、粘着式クリーナー１をストラップを介して携帯端末機器へと取り付ける。
【００４９】
携帯端末機器の表示画面の汚れを除去するにあたっては、まず、台座シート２０の突片２１を一方の手で押し下げ、ドライエッジ部１４によりシート積層体１０と台座シート２０との間に空間を作る。
【００５０】
次に、シート積層体１０の最上層の清掃シート１１のドライエッジ部に他方の手の指を入れて最上層の清掃シート１１を剥がす。そして、図示しない携帯端末機器の表示画面へと粘着部を接触させ、表示画面に付着している汚れを除去する。
【００５１】
この場合、表示画面に清掃シート１１を貼り付けて接触させてもよいし、表示画面へと清掃シート１１を叩きつけるように接触させてもよく、粘着部１３を表示画面に接触させることにより、表示画面の汚れを綺麗に除去することができる。
【００５２】
そして、粘着部１３は再剥離可能な粘着剤層からなるため、清掃作業が終わった後は、粘着部１３を積層シート１０の最上層へと再び積層することができ、粘着部１３の汚れ除去能力がある間は、何度も使用することができるようになっている。
【００５３】
なお、上記使用例では、粘着式クリーナー１をストラップを介して携帯するようにしているが、ストラップを介して携帯端末機器に取り付けなくとも、粘着式クリーナー１は小型で軽量であるため持ち運びに場所をとらず、かばんに入れたり手帳に挟んだりして携帯することも可能である。
【００５４】
上記実施形態において、清掃シート１１を四角形状、しずく型、ハート型に形成し、その形状に対応するように台座シート２０も同形状とした例で説明したが、これらに限られることはなく、携帯時のデザイン性や嗜好性を考慮した適宜の形状とすることができる。
【００５５】
また、上記実施形態においては、シート積層体１０を台座シート２０の一方の面に支持している例で説明したが、シート積層体１０を台座シート２０の両面で支持させるようにしてもよく、これにより、より多くの清掃シート１１を携帯することができる。
【符号の説明】
【００５６】
１，１Ａ，１Ｂ，１Ｃ
１０  シート積層体
１１  清掃シート
１２  シート状基材
１３  粘着部
１４  ドライエッジ部（非粘着部）
２０  台座シート
２１  突片
２２  孔
【図１】
2016054790.tif 000003
【図２】
2016054790.tif 000004
【図３】
2016054790.tif 000005
【図４】
2016054790.tif 000006
【図５】
2016054790.tif 000007
【図６】
2016054790.tif 000008
【図７】
2016054790.tif 000009